(57)【特許請求の範囲】
【請求項１】
内容液の充填空間を有する減容変形可能な内層体と、上部開口を備える口部を有し該内層体を内側に収める外層体と、該充填空間に通じる開口を有し該上部開口を覆う中栓と、該開口に通じる注出口を備える頂壁を有し該中栓を内側に収めて該口部に装着される注出キャップと、を備える二重容器において、
前記注出キャップは、該注出キャップに一体に連結する弾性部と、該弾性部に一体に連結するとともに該弾性部の付勢力でもって前記開口を閉鎖する弁体部とを有し、
前記開口は、下方に向かって縮径する開口傾斜部を有し、前記弁体部は、該開口傾斜部に対応する形状になる弁体部傾斜部を有し、
前記開口傾斜部により前記開口の上縁部が形成されており、
前記弁体部傾斜部が前記開口傾斜部に当接することで前記開口が閉鎖される二重容器。
【請求項２】
前記弾性部は、上下方向を中心として螺旋状に延在し一端が前記頂壁に一体に連結し他端が前記弁体部に一体に連結する弾性片が複数設けられたものである請求項１に記載の二重容器。
【請求項３】
前記弾性部は、前記注出口の直下に設けられ、前記弾性片は、下方に向かって縮径しながら延在する請求項２に記載の二重容器。
【発明の詳細な説明】
【技術分野】
【０００１】
本発明は、内容液の充填空間を有する減容変形可能な内層体と、内層体をその内側に収める外層体とを備え、内容液の注出に伴って内層体のみが減容する二重容器に関するものである。
【背景技術】
【０００２】
化粧水などの化粧料や、シャンプーやリンス或いは液体石鹸、また食品調味料や薬品などを内容液として収用する容器としては、内容液の充填空間を有する減容変形可能な内層体と、この内層体を内側に収める外層体とを備える二重容器（デラミ容器、積層剥離容器とも言う）が知られている。この種の二重容器は、容器の口部に装着する注出キャップの内部に、内層体に通じる開口を設けた中栓と、通常ではこの開口を閉鎖する一方、外層体を押圧して充填空間が加圧された際には開口を開放して内容液の流出を許容する逆止弁を設けていて、これにより充填空間への外気の侵入を防止している（例えば特許文献１参照）。
【先行技術文献】
【特許文献】
【０００３】
【特許文献１】特開２０１３−１５１３１６号公報
【発明の概要】
【発明が解決しようとする課題】
【０００４】
ところでこの種の二重容器では、充填空間への外気の侵入を防止するという機能は維持しつつ、例えば構造の簡素化や使用する樹脂量の削減などによってコストを抑える取り組みが行われている。しかし、更なるコスト削減には、これらの工夫では限界があった。
【０００５】
本発明は、このような従来の問題点を解決することを課題とするものであり、その目的は、充填空間への外気の侵入を防止する機能は維持しつつコストを削減することができる、新たな二重容器を提案するところにある。
【課題を解決するための手段】
【０００６】
本発明は、内容液の充填空間を有する減容変形可能な内層体と、上部開口を備える口部を有し該内層体を内側に収める外層体と、該充填空間に通じる開口を有し該上部開口を覆う中栓と、該開口に通じる注出口を備える頂壁を有し該中栓を内側に収めて該口部に装着される注出キャップと、を備える二重容器において、
前記注出キャップは、該注出キャップに一体に連結する弾性部と、該弾性部に一体に連結するとともに該弾性部の付勢力でもって前記開口を閉鎖する弁体部とを有し、
前記開口は、下方に向かって縮径する開口傾斜部を有し、前記弁体部は、該開口傾斜部に対応する形状になる弁体部傾斜部を有し、
前記開口傾斜部により前記開口の上縁部が形成されており、
前記弁体部傾斜部が前記開口傾斜部に当接することで前記開口が閉鎖される二重容器である。
【０００８】
前記弾性部は、上下方向を中心として螺旋状に延在し一端が前記頂壁に一体に連結し他端が前記弁体部に一体に連結する弾性片が複数設けられたものであることが好ましい。
【０００９】
前記弾性部は、前記注出口の直下に設けられ、前記弾性片は、下方に向かって縮径しながら延在することが好ましい。
【発明の効果】
【００１０】
本発明の二重容器における注出キャップは、この注出キャップに一体に連結する弾性部と、弾性部に一体に連結するとともにこの弾性部の付勢力でもって中栓の開口を閉鎖する弁体部とを有している。すなわち、従来の二重容器では、内層体及び外層体の他に、中栓、逆止弁、注出キャップの３つの部材が必要であったが、本発明では、中栓と注出キャップの２つの部材で済むので、部品点数が少なくなる分、コストを削減することができる。また、部品点数が減ることによって組み立て工数も減らせるため、かかるコストも削減することができる。
【図面の簡単な説明】
【００１１】
【図１】本発明に従う二重容器の一実施形態を示す、側面視での断面図である。
【図２】図１に示す弾性部及び弁体部の周辺を拡大して示す部分拡大図である。
【発明を実施するための形態】
【００１２】
以下、図面を参照して、本発明をより具体的に説明する。なお、本明細書、特許請求の範囲、要約書において、「上」とは、二重容器を水平面上に載置した際（正立姿勢）に外層体に対して注出キャップが位置する側であり、「下」とは、その反対側である。
【００１３】
図１において、符号１は、本発明に従う二重容器の一実施形態を示す。二重容器１は、内容液を収容する内層体１０と、内層体１０を内側に収める外層体２０とを備えている。また外層体２０の上方には、中栓３０、移動弁４０、注出キャップ５０、及び蓋体６０が設けられている。
【００１４】
内層体１０は、その内側に内容液を収容する充填空間Ｓを備えている。内層体１０は薄肉の合成樹脂製であって、減容変形自在となっている。
【００１５】
外層体２０は、図示を省略する底部につながる胴部２１を有し、胴部２１に、下部が上部よりも大径となる段付き円筒状の口部２２を一体連結したものである。口部２２には上方へ向けて開口する上部開口２２ａが設けられていて、口部２２の外周面には、雄ねじ部２２ｂが設けられている。また口部２２には、内層体１０と外層体２０との相互間に空気を導入させるための貫通開口２３が設けられていて、更に、貫通開口２３が位置する口部２２の外周面には、雄ねじ部２２ｂを上下方向に切り欠く溝部２４が設けられている。なお、内層体１０と外層体２０との相互間に空気を導入させるに当たっては、貫通開口２３を外層体２０の胴部２１や不図示の底部に設けてもよい。
【００１６】
本実施形態において内層体１０と外層体２０は、相互に相溶性が低い合成樹脂を剥離可能に積層させたものであり、これらの合成樹脂素材を積層して形成したパリソンを、ブロー成形することによって得られたものである。ブロー成形の他にも、試験管状に形成したプリフォームを２軸延伸ブロー成形することや、外層体及び内層体を個別に形成し、その後、内層体を外層体内に装着するようにしたものを用いてもよい。また、図示は省略するが、内層体１０と外層体２０との間に、縦方向に延在して内層体１０と外層体２０とを部分的に接合する、１本或いは複数本の接着帯を設けてもよい。
【００１７】
中栓３０は、外層体２０の上部開口２２ａを覆う天壁３１を有している。天壁３１には、充填空間Ｓに向けて延在する筒状壁３２が設けられている。本実施形態の筒状壁３２は、その内周面の横断面形状が円になる円筒状であるが、内周面の横断面形状が四角形や六角形等の多角形になる角筒状のものであってもよい。また、筒状壁３２の下方には、下方に向かうにつれて内径を狭める縮径部３２ａが設けられていて、更に縮径部３２ａの下方には、筒状壁開口３２ｂが設けられている。これにより、筒状壁３２の内部には、上下を貫通させた貫通路Ｔが形成されている。
【００１８】
また、天壁３１には、天壁３１を貫通して充填空間Ｓに通じる開口３３が設けられている。開口３３は、天壁３１の一部を上方に突出させた部位を上下に貫通させて形成されている。また開口３３の上縁部には、下方に向かって縮径する開口傾斜部３３ａが設けられている。そして、筒状壁３２及び開口３３の径方向外側には、上向き開放の環状凹部３４が設けられている。環状凹部３４の径方向外側には、上方へ向けて立ち上がる環状壁３５が設けられていて、環状壁３５の上端部には、切り欠き３５ａが設けられている。天壁３１の外縁部には、上下方向に延びる溝部３６が設けられている。また、天壁３１の下面には、内層体１０を挟み込んで外層体２０と当接する環状のシール壁３７が設けられている。
【００１９】
移動弁４０は、貫通路Ｔ内に配置されていて、筒状壁３２に沿って移動可能に設けられている。本実施形態の移動弁４０は、球状になるものであるが柱状であってもよい。なお、図１に示すように、二重容器１が正立姿勢である場合には、移動弁４０はその自重でもって下方に移動して縮径部３２ａに着座し、貫通路Ｔを閉鎖している。
【００２０】
注出キャップ５０は、口部２２を取り囲むとともに口部２２の下部外周面と気密に当接する外周壁５１を備えていて、外周壁５１の内周面には、雄ねじ部２２ｂに対応する雌ねじ部５１ａと、注出キャップ５０を外層体２０に装着する前の状態において中栓３０を抜け出し不能に保持する突起５１ｂとが設けられている。外周壁５１の上部には、外周壁５１との間で中栓３０を覆い隠す頂壁５２が設けられている。また、頂壁５２には、開口３３の直上において頂壁５２を上下に貫通する注出口５３が設けられている。
【００２１】
また注出キャップ５０には、注出口５３の下方において、注出キャップ５０に一体に連結する弾性部５４と、弾性部５４に一体に連結するとともにこの弾性部５４の付勢力でもって開口３３を閉鎖する弁体部５５が設けられている。
【００２２】
図２に示すように弾性部５４は、一端が頂壁５２における注出口５３の内周面に一体に連結し、そこから上下方向を中心として螺旋状に延在し、他端が弁体部５５の上面に一体に連結する弾性片Ｈが複数設けられたものであって、弾性片Ｈ同士が重ならないように、一の弾性片Ｈに対して他の弾性片Ｈを周方向にずらして設けられている。図２に示すように本実施形態の弾性片Ｈは、下方に向かって縮径しながら延在している。なお、弾性片Ｈにおける任意の部分（上側部分Ｈ１）に対し、上側部分Ｈ１から下方に向かって１周旋回した部分（下側部分Ｈ２）は、上下に重ならないように形成されている。また、弾性片Ｈ（上側部分Ｈ１）の縦断面形状は、図２に示すように下方に向かって厚みが漸減する略三角形状になっている。このような形状であれば、弾性部５４を形成する金型の構造が、上金型と下金型が相対的に上下に移動するものであっても弾性部５４を離型することができるので、金型構造が簡単になってコストが抑えられるという利点がある。
【００２３】
また弁体部５５は、円板状をなしていて、その下縁部には、開口傾斜部３３ａに対応した形状（下方に向かって縮径する）になる弁体部傾斜部５５ａが設けられている。開口傾斜部３３ａ及び弁体部傾斜部５５ａによって、開口３３に対する弁体部５５の位置や姿勢（傾き）が一意に定まるため、開口３３を安定的に閉鎖することができる。
【００２４】
更に注出キャップ５０には、頂壁５２の上面において注出口５３を取り囲んで起立して、その上端部を径方向外側に向けて湾曲させてリップを形成した注出筒５６が設けられている。また、頂壁５２の下面には、筒状壁３２に向けて延在する棒状のストッパー５７と、環状凹部３４に入り込んで環状凹部３４に液密に保持される下向き環状壁５８とが設けられている。また、下向き環状壁５８の径方向外側には、頂壁５２を貫通する外気導入孔５９を設けている。これにより、注出キャップ５０の内側には、下向き環状壁５８の径方向内側に位置するとともに、弁体部５５が天壁３１から離反した際に開口３３と注出口５３とを連通させる連通空間Ｒと、下向き環状壁５８の径方向外側に位置するとともに、外層体２０の貫通開口２３から溝部２４、溝部３６を経て切り欠き３５ａにつながる経路と外気導入孔５９とを連通させる環状空間Ｋとが形成される。
【００２５】
蓋体６０は、ヒンジ６１を介して注出キャップ５０の外周壁５１に連結していて、ヒンジ６１で折り曲げることで、注出筒５６及び外気導入孔５９を覆い隠すことができる。より詳細には、蓋体６０は、平板状の上壁６２と、上壁６２の縁部に連結するとともに外周壁５１に連なる形状となる蓋体周壁６３とを備えていて、上壁６２には、蓋体６０を閉めた際に注出筒５６の内側に入り込んで注出筒５６をシールする棒状のシール部６４を備えている。なお、蓋体６０は、ヒンジ６１を設けずに注出キャップ５０とは別体のものとし、ねじやアンダーカットで注出キャップ５０に装着するように構成してもよい。
【００２６】
上記のように構成される二重容器１から内容液を注出するにあたっては、蓋体６０を開くとともに二重容器１を正立姿勢から傾倒或いは倒立姿勢に姿勢変更する。そして、外層体２０の胴部２１を押圧すると、内層体１０は、外層体２０から直接、或いは内層体１０と外層体２０との間の空気を介して押圧されて充填空間Ｓが加圧される。これにより、加圧された内容液が弁体部５５を押し上げて、弁体部５５が開口３３から離反する。そして、開口３３を通して流出する内容液は連通空間Ｒに流れ込み、注出口５３を経て注出筒５６から注出される。また、この状態において移動弁４０は、自重や筒状壁開口３２ｂから貫通路Ｔ内に流入する内容液によって縮径部３２ａから離反する。なお、筒状壁３２の上方にはストッパー５７が設けられているので、移動弁４０が脱落してしまうことはない。
【００２７】
所要量の内容液を注出した後は、外層体２０の胴部２１への押圧を解除する。これによって充填空間Ｓ内の圧力が下がり、弁体部５５が開口３３を閉鎖するので、充填空間Ｓ内への外気の入り込みが防止できる。また外層体２０は、それ自身の復元力によって元の形状に戻ろうとするため、内層体１０と外層体２０との相互間は負圧状態となり、これによって外気が、外気導入孔５９から環状空間Ｋ、切り欠き３５ａ、溝部３６、溝部２４を経て貫通開口２３に導入されるので、内層体１０を減容変形させたまま外層体２０が復元する。
【００２８】
弁体部５５が開口３３を閉鎖すると、注出筒５６から連通空間Ｒに至る空間には内容液が残留したままになるものの、二重容器１を元の正立姿勢に戻すと、連通空間Ｒ内に進入していた移動弁４０は、それ自身の自重や充填空間Ｓ内の圧力低下によって下方に移動する。これにより、連通空間Ｒの容積は、移動弁４０がストッパー５７に当接していた状態と比較して増えることになるので、注出筒５６内の内容液は連通空間Ｒ内に引き戻されて（サックバック機能）、液だれを有効に防止することができる。なお、下方に移動した移動弁４０は、縮径部３２ａに着座するので、充填空間Ｓ内を閉鎖した状態に保つことができる。
【００２９】
本発明に従う二重容器は、本実施形態に限定されるものではなく、特許請求の範囲に従う範囲で種々の変更が可能である。例えば弾性部は、注出キャップに一体に連結する一端と弁体部に一体に連結する他端との間を上下に直線状につなぐものや、一端と他端との間を径方向外側や内側に膨らむように湾曲状につなぐもの等、種々の形態のものが適用できる。
【符号の説明】
【００３０】
１：二重容器
１０：内層体
２０：外層体
２１：胴部
２２：口部
２２ａ：上部開口
２２ｂ：雄ねじ部
２３：貫通開口
２４：溝部
３０：中栓
３１：天壁
３２：筒状壁
３２ａ：縮径部
３２ｂ：筒状壁開口
３３：開口
３３ａ：開口傾斜部
３４：環状凹部
３５：環状壁
３５ａ：切り欠き
３６：溝部
３７：シール壁
４０：移動弁
５０：注出キャップ
５１：外周壁
５１ａ：雌ねじ部
５１ｂ：突起
５２：頂壁
５３：注出口
５４：弾性部
５５：弁体部
５５ａ：弁体部傾斜部
５６：注出筒
５７：ストッパー
５８：下向き環状壁
５９：外気導入孔
６０：蓋体
６１：ヒンジ
６２：上壁
６３：蓋体周壁
６４：シール部
Ｈ：弾性片
Ｈ１：上側部分
Ｈ２：下側部分
Ｋ：環状空間
Ｒ：連通空間
Ｓ：充填空間
Ｔ：貫通路
【図１】
0006429593.tif 000002
【図２】
0006429593.tif 000003